(57)【要約】【課題】  監視プロセッサ（３０４）と加入者（３１６）との間の通信を選択的に制御する方法（５００）を提供する。【解決手段】  本方法は、監視プロセッサにおいてデータ・ストリームを受信する段階（５０２）と、関連する監視プロセッサ・コンフィギュレーションに基づいて監視プロセッサから加入者へのデータ・ストリームの送信を制御する段階（５０４）と、監視プロセッサにおいて監視プロセッサ・コンフィギュレーションを変更する許可コンフィギュレーションを受信する段階（５０６）と、監視プロセッサ・コンフィギュレーションに基づいて監視プロセッサから加入者に制御したデータ・ストリームの少なくとも一部を送信する段階（５０８）とを含む。【選択図】      図２
2005141730.tif 000002
【特許請求の範囲】
【請求項１】
監視プロセッサ（３０４）と加入者（３１６）との間の通信を選択的に制御する方法（５００）であって、
前記監視プロセッサにおいてデータ・ストリームを受信する段階（５０２）と、
監視プロセッサ・コンフィギュレーション（３１０）に基づいて前記監視プロセッサから加入者へのデータ・ストリームの送信を制御する段階（５０４）と、
前記監視プロセッサにおいて前記監視プロセッサ・コンフィギュレーションを変更する許可コンフィギュレーションを受信する段階（５０６）と、
前記監視プロセッサ・コンフィギュレーションに基づいて前記監視プロセッサから加入者に制御したデータ・ストリームの少なくとも一部を送信する段階（５０８）と、
を含む方法。
【請求項２】
プロセス制御システム（３４）から複数のプロセスシステムデータを送信する段階をさらに含む、請求項１記載の方法。
【請求項３】
前記監視プロセッサから加入者へのデータ・ストリームの送信を制御する前記段階が、前記監視プロセッサ上の加入者アクセスポート（３１４）を選択的に不能状態にする段階を含む、請求項１記載の方法。
【請求項４】
前記監視プロセッサから加入者へのデータ・ストリームの送信を制御する前記段階が、前記監視プロセッサ上の加入者アクセスポートに送信するデータを難読化する段階を含む、請求項１記載の方法。
【請求項５】
前記監視プロセッサ上の加入者アクセスポートに送信するデータを難読化する前記段階が、加入者プロセッサにおいてクライアントアプリケーションを使用してデータを可読化する段階を含む、請求項４記載の方法。
【請求項６】
前記監視プロセッサから加入者へのデータ・ストリームの送信を制御する前記段階が、データを可読化せずに前記監視プロセッサ上の加入者アクセスポートに該データを送信する段階を含む、請求項１記載の方法。
【請求項７】
データを可読化せずに前記監視プロセッサ上の加入者アクセスポートに該データを送信する前記段階が、加入者プロセッサにおいてクライアントアプリケーションを使用してデータを可読化する段階を含む、請求項６記載の方法。
【請求項８】
許可コンフィギュレーションを受信する前記段階が、所定の期間後に失効する許可コンフィギュレーションを受信して、前記監視プロセッサ・コンフィギュレーションが前記許可コンフィギュレーションの失効と同時に変更されるようにする段階を含む、請求項１記載の方法。
【請求項９】
所定の期間後に失効する許可コンフィギュレーションを受信する前記段階が、所定の期間後に失効して前記監視プロセッサ・コンフィギュレーションが前記監視プロセッサから加入者へのデータ・ストリームの送信を拒絶するように変更されるようにする許可コンフィギュレーションを受信する段階を含む、請求項８記載の方法。
【請求項１０】
前記監視プロセッサが、ガスタービンエンジン・データ収集システム（４０２）及びガスタービンエンジン・オンサイトモニタ（３５）の少なくとも１つであり、前記監視プロセッサにおいてデータ・ストリームを受信するオペレータインタフェース（３６）が、ガスタービン運転データ・ストリームを受信することをさらに含む、請求項１記載の方法。
【発明の詳細な説明】
【技術分野】
【０００１】
本発明は、総括的には選択的データ通信に関し、より具体的には専有ストリームと加入者との間のデータフローを選択的に制御するための方法及び装置に関する。
【背景技術】
【０００２】
ガスタービンエンジンは一般的に、圧縮機セクション、燃焼器セクション及び少なくとも１つのタービンセクションを含む。圧縮機は空気を加圧し、加圧空気は、燃料と混合されて燃焼器に導かれる。次いで混合物は点火され、それによって高温の燃焼ガスを発生する。燃焼ガスはタービンに導かれ、タービンは、燃焼ガスからエネルギーを取り出して、圧縮機に動力を与え、同時に発電機のような負荷に動力を与えるか又は飛行中の航空機を推進するような有効な仕事を行う。
【０００３】
少なくとも一部の公知のガスタービンエンジンは、制御システムを構成する種々の計器とモジュールとの間でデータを送受信する専有データ・ストリームを含む最新式の制御システムで運転される。さらに、エンジンの遠隔監視を可能にするために、専有データは、エンジン及び制御システムを含む設備から遠く離れた場所に送信される場合がある。そのようなデータを不正受信から防護することにより、その専有（プロプライエタリ）価値を保つことが可能になる。従って、少なくとも一部の公知の送信システム内では、データは、専用通信回線によりデータ送信装置からエンドユーザに送信される。他の公知のシステムでは、データを送信するのに先立ってデータを暗号化するか又はその他の方法で難読化し（ｏｂｆｕｓｃａｔｅ）て、送信したデータを見るのに暗号解読キーが必要となるようにする。
【特許文献１】米国特許６，４６０，１４１号公報
【特許文献２】米国特許６，３３８，１４０号公報
【特許文献３】米国特許６，２５９，３６７号公報
【発明の開示】
【発明が解決しようとする課題】
【０００４】
しかしながら、一部のケースでは、顧客及び／又は指定保守サービスプロバイダのような所定のエンティティには、それらのエンティティが暗号化データにアクセスするための専用回線をもつことを必要とせずにアクセスを許すことが望ましい場合がある。
【課題を解決するための手段】
【０００５】
１つの様態では、監視プロセッサと加入者との間の通信を選択的に制御する方法を提供する。本方法は、監視プロセッサにおいてデータ・ストリームを受信する段階と、関連する監視プロセッサ・コンフィギュレーションに基づいて監視プロセッサから加入者へのデータ・ストリームの送信を制御する段階と、監視プロセッサにおいて監視プロセッサ・コンフィギュレーションを変更する許可コンフィギュレーションを受信する段階と、監視プロセッサ・コンフィギュレーションに基づいて監視プロセッサから加入者に制御したデータ・ストリームの少なくとも一部を送信する段階とを含む。
【０００６】
別の様態では、データネットワークを提供する。本ネットワークは、専有データ通信を専有データ送信装置から受信するように構成された第１の専有ネットワークセグメントと、第１の専有ネットワークに通信結合され、プロセッサ・コンフィギュレーションに基づいてソフトウエア命令を実行するように構成された監視プロセッサと、監視プロセッサに結合され、加入者データを監視プロセッサから加入者に選択的に送信するように構成された加入者ネットワークセグメントとを含む。
【０００７】
さらに別の様態では、ガスタービンエンジン運転データをエンジン監視プロセッサから加入者に選択的に送信するためのガスタービン制御監視システムを提供する。本システムは、少なくとも１つのエンジンセンサに通信結合されたガスタービン制御システムと、ガスタービン制御システムに通信結合された第１の専有データネットワークと、ガスタービンエンジン運転データを受信するように第１の専有ネットワークに通信結合された監視プロセッサと、監視プロセッサに通信結合された第２の専有データネットワークと、監視プロセッサに通信結合された加入者データネットワークとを含み、該プロセッサは、加入者データネットワークを介してガスタービンエンジン運転データを加入者に選択的に送信するように構成されている。
【発明を実施するための最良の形態】
【０００８】
本明細書では、産業環境で使用するガスタービン制御システムと関連させて本方法及び装置を説明するが、本明細書で説明する本方法及び本装置は、それに限定されないが、商業用途を含むその他のデータネットワークにおいても有効性を見出すことができると予想される。従って、以下の説明は、限定ではなく例示としてのみ行うものである。
【０００９】
図１は、ガスタービン２０を含むガスタービンシステム１０の破断側面図である。ガスタービン２０は、圧縮機セクション２２と、複数の燃焼器２６を含む燃焼器セクション２４と、シャフト（図示せず）を使用して圧縮機セクション２２に連結されたタービンセクション２８とを含む。
【００１０】
運転中、外気が圧縮機セクション２２内に導かれ、圧縮機セクション２２において外気よりも高い圧力に加圧される。次に、加圧空気は燃焼器セクション２４内に導かれ、燃焼器セクション２４において加圧空気と燃料とが混合されて比較的高圧高速のガスを生成する。タービンセクション２８は、燃焼器セクション２４から流れる高圧高速ガスからエネルギーを取り出すように構成される。燃焼した燃料混合気により、例えば電気エネルギー、熱エネルギー及び機械的エネルギーのような望ましいエネルギーの形態が生成される。１つの実施形態では、燃焼した燃料混合気は、キロワット・アワ（ｋＷｈ）で測定される電気エネルギーを生成する。しかしながら、本発明は、電気エネルギーの生成に限定されるものではなく、機械的仕事及び熱のようなその他のエネルギーの形態を包含する。ガスタービンシステム１０は一般的に、ガスタービンシステム１０に装備された自動及び／又は電子制御システム（図示せず）からの種々の制御パラメータによって制御される。
【００１１】
図２は、図１に示すガスタービンシステム１０の簡略化した概略図である。ガスタービンシステム１０はさらに、ガスタービン２０に電気的に結合された複数のセンサ３０を含む。燃焼ダイナミックスモニタ（ＣＤＭ）３２は、センサ３０からアナログデータをサンプリングして、このアナログデータを後続処理のためのデジタル信号に変換する。コンピュータ３４は、サンプリングしかつデジタル化したセンサデータをＣＤＭ３２及びオンサイトモニタ（ＯＳＭ）３５の少なくとも１つから受信し、高速データ解析を実施する。ＯＳＭ３５はさらに、ＯＳＭ３５上で動作して制御システムデータをネットワーク中に送信するＰＩ／ＵＤＰタービン制御システムデータサーバを含むことができる。図には４つの燃焼器２６のみを示しているが、ガスタービンエンジン２０は４つよりも多い又は少ない燃焼器２６を含むことができることを認識すべきであり、例えば１つの例示的な実施形態では、ガスタービンエンジン２０は２７個の燃焼器２６を含む。
【００１２】
コンピュータ３４は、オペレータインタフェース３６を介してオペレータからの指令を受ける。それに限定されないが、液晶ディスプレイ（ＬＣＤ）及びブラウン管のような付属モニタ３８によって、オペレータは、コンピュータ３４から受信したデータを観察することが可能になる。コンピュータ３４はオペレータから与えられた指令及びパラメータを使用して、制御信号及び制御情報をＣＤＭ３２及びＯＳＭ３５に提供する。
【００１３】
１つの実施形態では、コンピュータ３４は、例えばフロッピー（登録商標）ディスク、ＣＤ−ＲＯＭ、ＤＶＤ、或いはネットワーク又はインターネット、さらには未だ開発されていないデジタル手段などのその他のデジタルソースのようなコンピュータ可読媒体４２から命令及び／又はデータを読取るために、例えばフロッピー（登録商標）ディスクドライブ、ＣＤ−ＲＯＭドライブ、ＤＶＤドライブ、磁気光学ディスク（ＭＯＤ）ドライブ、或いはイーサネット（登録商標）装置などのネットワーク接続装置を含むその他の任意のデジタル装置のような装置４０を含む。別の実施形態では、コンピュータ３４は、ファームウエア（図示せず）内に格納された命令を実行する。コンピュータ３４は、本明細書に記載した機能を遂行するようにプログラミングされており、本明細書で使用する場合、コンピュータという用語は、一般にコンピュータとして知られている正にその集積回路に限定されるのではなく、広く、コンピュータ、プロセッサ、マイクロコントローラ、マイクロコンピュータ、プログラマブル・ロジックコントローラ、特定用途向け集積回路及びその他のプログラマブル回路を意味しており、本明細書ではこれらの用語を互換可能に使用する。
【００１４】
図３は、図１に示すガスタービンシステム１０で使用できるネットワーク３００の例示的なアーキテクチャの概略図である。この例示的な実施形態では、ネットワーク３００は、第１の専有ネットワークセグメント３０２と、第１の専有ネットワーク３０２に通信結合された監視プロセッサ３０４と、監視プロセッサ３０４に結合された加入者ネットワークセグメント３０６とを含む。別の実施形態では、ネットワーク３００はまた、監視プロセッサ３０４に通信結合された第２の専有データネットワークセグメント３０８を含む。本明細書で使用する場合、「専有ネットワーク」というのは、単一企業体（ビジネス・エンティティ）又は限定された数の共同企業体によって所有されかつ運用されるアクセス制限付きネットワークを表現するのに使用する。「専有データ」というのは、企業体によって所有され、当該データへの不正アクセスを防止する対策を取ることができるようなデータを表現するのに使用する。そのような対策は、それ限定されないが、専有ネットワーク上で専有データを送信すること及び／又はネットワーク上にデータを送信する前にデータを難読化することを含むことができる。さらに、企業体は、商用ネットワーク上で難読化した専有データを送信することもできる。
【００１５】
第１の専有ネットワークセグメント３０２は、それに限定されないが、コンピュータ３４のような専有データ送信装置から専有データ通信を受信するように構成することができる。この例示的な実施形態では、専有ネットワークセグメント３０２は、専有ネットワーク所有者によってアクセス制限付きに管理された状態のイーサネット（登録商標）セグメントである。１つの実施形態では、セグメント３０２を通して送信されるデータは、難読化されておらず、データ機密保持のためのネットワークのアクセス制限に依存することができる。別の実施形態では、セグメント３０２を通して送信されるデータは、コンピュータ３４のようなデータ送信装置で難読化して、データ通信を窃信する不正ユーザがセグメント３０２から理解可能なデータを引き出すのが困難になるようにする。
【００１６】
監視プロセッサ３０４は、第１の専有ネットワークに通信結合され、プロセッサ・コンフィギュレーション３１０に基づいてソフトウエア命令を実行するように構成される。コンフィギュレーション３１０は、プロセッサ３０４のメモリ３１２内に常駐可能なコンピュータファイルとして具現化することができる。例えば、メモリ３１２は、ランダムアクセスメモリ（ＲＡＭ）のような揮発性メモリとすることができる。別の実施形態では、それに限定されないが、フラッシュメモリ（ＦＬＡＳＨ）、プログラマブル読出専用メモリ（ＰＲＯＭ）及び電子的消去可能プログラマブル読出専用メモリ（ＥＥＰＲＯＭ）を含むその他の形態のメモリを使用することもできる。コンフィギュレーション３１０はまた、プロセッサレジスタ又はプロセッサ３０４の他のメモリ領域として具現化することができる。
【００１７】
加入者ネットワークセグメント３０６は、プロセッサ又は通信カードポート３１４を通して監視プロセッサに結合されることができ、セグメント３０６は、加入者データを監視プロセッサ３０４から加入者プロセッサ３１６に送信するように構成される。１つの実施形態では、加入者プロセッサ３１６は、監視プロセッサ３０４から難読化データを受信しかつ加入者へ表示するためにデータを所定のフォーマットの形態で可読化するようにプログラミングされたクライアントアプリケーションを含む。さらに、加入者は、データの受信及び可読化を選択的に制御することができる。
【００１８】
この例示的な実施形態では、第２の専有データネットワークセグメント３０８は、単一企業体又は限られた数の共同企業体によって所有されかつ運用されるアクセスポイント制限付きのネットワークのような専有ＷＡＮである。
【００１９】
動作中、プロセッサ３０４は、コンピュータ３４のようなデータ送信装置から専有データを受信し、そのデータをセグメント３０８に送信する。プロセッサ３０４はまた、そのデータを加入者セグメント３０６に送信するか否かをコンフィギュレーション３１０により決定する。プロセッサは、ポート３１４を送信可能状態にし、データが難読化されている場合にはポート３１４においてデータを可読化し、及び／又はデータをポート３１４にルーティングすることによって、データをセグメント３０６に送信することができる。データの送信は選択的であり、データ所有者によるデータ加入者へのデータの管理を可能にする。この例示的な実施形態では、所有者はガスタービンエンジンの元の装置製造者（ＯＥＭ）であり、加入者は、公益事業、独立系発電事業者又は産業設備のようなエンジン所有者である。エンジンは、専有アルゴリズムを使用して専有データ収集システムによって運転可能である。データを保護するために、本明細書で説明したような方法を採用することができる。一部の公知のケースでは、ＯＥＭ及びエンジン所有者は、所有者自身の使用のために所有者にデータへのアクセス権を供与するという技術共有契約を結んでいる。そのようなケースでは、ＯＥＭは、所有者の使用のためにデータを「開ける」ことが可能である。所有者が契約条項に違反した時は、ＯＥＭは、所有者がもはやデータを使用できなくなるように、データを「止める」ことが可能である。ＯＥＭは、コンフィギュレーション３１０を変更する指令をセグメント３０８経由で送信することによってデータを「止める」ことができる。ＯＥＭは、コンフィギュレーション３１０を変更する指令をプロセッサ３０４において局所的に入力可能であるか又は所定の期間の終了時点でコンフィギュレーション３１０を自動的に変更可能である。
【００２０】
この例示的な実施形態では、セグメント３０８は、遠隔のタービンサイトと本社又はその他の離れたタービンサイトに居るチューニング技術者との間でガスタービン制御システムのチューニング情報を通信連絡する私有イントラネットである。別の実施形態では、セグメント３０８は、インターネットである。
【００２１】
図４は、図１に示すガスタービンシステム１０で使用できるネットワーク４００の別のアーキテクチャの概略図である。ネットワーク３００（図３に示す）の構成要素と同一のネットワーク４００の構成要素は、図３で使用したのと同一の参照符号を使用して図４で特定する。従って、ネットワーク４００は、第１の専有ネットワークセグメント３０２と、第１の専有ネットワーク３０２に通信結合された監視プロセッサ３０４と、監視プロセッサ３０４に結合された加入者ネットワークセグメント３０６とを含む。別の実施形態では、ネットワーク４００はまた、監視プロセッサ３０４に通信結合された第２の専有データネットワークセグメント３０８を含む。
【００２２】
第１の専有ネットワークセグメント３０２は、それに限定されないが、ガスタービン制御システム４０２のような専有データ送信装置から専有データ通信を受信するように構成することができる。この例示的な実施形態では、専有ネットワークセグメント３０２は、イーサネット（登録商標）セグメントである。セグメント３０２を通して送信されるデータは、ガスタービン制御システム４０２においてオブフスケータ４０４によって難読化して、データ通信を窃信する不正ユーザがガスタービン制御システム４０２又はセグメント３０２から理解可能なデータを引き出すのが困難になるようにする。オブフスケータ４０４は、システム４０２内で実行するソフトウエアに具現化することができ、或いは適切な難読化アルゴリズムを実装したハードウエア又はファームウエアとすることができる。
【００２３】
監視プロセッサ３０４は、第１の専有ネットワークに通信結合され、プロセッサ・コンフィギュレーション３１０に基づいてソフトウエア命令を実行するように構成される。コンフィギュレーション３１０は、プロセッサ３０４のメモリ３１２内に常駐可能なコンピュータファイルとして具現化することができる。例えば、メモリ３１２は、ランダムアクセスメモリ（ＲＡＭ）のような揮発性メモリとすることができる。別の実施形態では、それに限定されないが、フラッシュメモリ（ＦＬＡＳＨ）、プログラマブル読出専用メモリ（ＰＲＯＭ）及び電子的消去可能プログラマブル読出専用メモリ（ＥＥＰＲＯＭ）を含むその他の形態のメモリを使用することもできる。コンフィギュレーション３１０はまた、プロセッサレジスタ又はプロセッサ３０４の他のメモリ領域として具現化することができる。
【００２４】
加入者ネットワークセグメント３０６は、プロセッサ又は通信カードポート３１４を通して監視プロセッサに結合されることができ、セグメント３０６は、加入者データを監視プロセッサ３０４から加入者（図示せず）に送信するように構成される。
【００２５】
この例示的な実施形態では、第２の専有データネットワークセグメント３０８は、単一企業体又は限られた数の共同企業体によって所有されかつ運用されるアクセスポイント制限付きのネットワークのような専有ＷＡＮである。
【００２６】
動作中、プロセッサ３０４は、制御コンピュータ４０２のようなデータ送信装置から専有データを受信し、そのデータをセグメント３０８に送信する。プロセッサ３０４はまた、そのデータを加入者セグメント３０６に送信するか否かをコンフィギュレーション３１０により決定する。プロセッサは、ポート３１４を送信可能状態にし、ポート３１４においてデータを可読化し、及び／又はデータをポート３１４にルーティングすることによって、データをセグメント３０６に送信することができる。データの送信は選択的であり、データ所有者によるデータ加入者へのデータの管理を可能にする。この例示的な実施形態では、所有者はガスタービンエンジンの元の装置製造者（ＯＥＭ）であり、加入者は、公益事業、独立系発電事業者又は産業設備のようなエンジン所有者である。エンジンは専有アルゴリズムを使用して専有データ収集システムによって運転可能である。データを保護するために、本明細書で説明したような方法を採用することができる。一部の公知のケースでは、ＯＥＭ及びエンジン所有者は、所有者自身の使用のために所有者にデータへのアクセス権を供与するという技術共有契約を結んでいる。そのようなケースでは、ＯＥＭは、所有者の使用のためにデータを「開ける」ことが可能である。所有者が契約条項に違反した時は、ＯＥＭは、所有者がもはやデータを使用できなくなるように、データを「止める」ことが可能である。ＯＥＭは、コンフィギュレーション３１０を変更する指令をセグメント３０８経由で送信することによってデータを「止める」ことができる。ＯＥＭは、コンフィギュレーション３１０を変更する指令をプロセッサ３０４において局所的に入力可能であるか又は所定の期間の終了時点でコンフィギュレーション３１０を自動的に変更可能である。
【００２７】
この例示的な実施形態では、セグメント３０８は、遠隔のタービンサイトと本社又はその他の離れたタービンサイトに居るチューニング技術者との間でガスタービン制御システムのチューニング情報を通信連絡する私有イントラネットである。別の実施形態では、セグメント３０８は、インターネットである。
【００２８】
図５は、ネットワーク３００（図３に示す）及びネットワーク４００（図４に示す）へのデータアクセスを制御するのに使用できる例示的な方法５００のブロック図である。方法５００は、監視プロセッサ３０４において第１のデータ・ストリームを受信する段階５０２を含む。データは、ガスタービン制御システム４０２によって難読化してもよいし、或いはコンピュータ３４の１つの実施形態でのようにデータ送信装置によって難読化しなくてもよい。この例示的な実施形態では、データは、イーサネット（登録商標）プロトコルを使用して送信される。他の実施形態では、その他のデータ送信プロトコルを使用することもできる。監視プロセッサから加入者へのデータ・ストリームの送信は、例えば、加入者がデータへのアクセス料金を未払いの場合、加入者の定期使用契約が失効した場合或いは加入者とデータ所有者との間の契約条項にその他の違反があった場合、監視プロセッサ・コンフィギュレーションに基づいて制御する５０４ことができる。加入者がデータへのアクセスを望みかつ加入者が契約条項を満すような場合には、プロセッサ３０４は、監視プロセッサ・コンフィギュレーションを変更する許可コンフィギュレーションを受信する５０６ことができる。プロセッサ３０４は、コンフィギュレーション命令を、受信データのセグメント３０２からセグメント３０６への送信許可として認識する。プロセッサ３０４が後続のデータ・ストリームを受信すると、プロセッサ３０４は、後続データ・ストリームの少なくとも一部を監視プロセッサ３０４から加入者に送信する５０８ことになる。
【００２９】
上記した方法及びシステムは、燃焼ダイナミクッスを含むガスタービン運転パラメータを監視するための費用効果がありかつ信頼性がある手段を提供する。より具体的には、本方法及びシステムは、ガスタービン制御システムデータをガスタービン制御システム又はガスタービン監視システムからデータ加入者に選択的に送信するのを可能にする。その結果、本明細書に記載した方法及びシステムは、費用効果がありかつ信頼性がある方法でガスタービンエンジンを監視しかつ保守することを可能にする。
【００３０】
以上、ガスタービンエンジン監視システム及び通信システムの例示的な実施形態を詳細に説明している。本システムは、本明細書に記載した特定の実施形態に限定されるものではなく、むしろ各システムの構成要素は、本明細書に記載した他の構成要素から独立してかつ別個に利用することができる。各システム構成要素はまた、他のシステム構成要素と組み合わせても使用可能である。
【００３１】
なお、特許請求の範囲に記載された符号は、理解容易のためであってなんら発明の技術的範囲を実施例に限縮するものではない。
【図面の簡単な説明】
【００３２】
【図１】ガスタービンを含むガスタービンシステムの破断側面図。
【図２】図１に示すガスタービンシステムの概略図。
【図３】図１に示すガスタービンシステムで使用できるネットワーク３００の例示的なアーキテクチャの概略図。
【図４】図１に示すガスタービンシステムで使用できるネットワーク４００の別のアーキテクチャの概略図。
【図５】図３に示すネットワーク３００及び図４に示すネットワーク４００へのデータアクセスを制御するのに使用できる例示的な方法のブロック図。
【符号の説明】
【００３３】
２０  ガスタービンエンジン
２２  圧縮機セクション
２４  燃焼器セクション
２６  燃焼器
２８  タービンセクション
３０  センサ
３２  燃焼ダイナミックスモニタ（ＣＤＭ）
３４  コンピュータ
３５  オンサイトモニタ（ＯＳＭ）
３６  オペレーションインタフェース
３８  付属モニタ
【図１】
2005141730.tif 000003
【図２】
2005141730.tif 000004
【図３】
2005141730.tif 000005
【図４】
2005141730.tif 000006
【図５】
2005141730.tif 000007